(57)【特許請求の範囲】
【請求項１】
複数の冷陰極管を駆動する冷陰極管駆動装置において、
上記複数の冷陰極管に対して交流電力を供給する電力供給回路と、
上記各冷陰極管からグランドに流れる正の交流電流を等しくするための第１のカレントミラー回路と、
上記グランドから上記各冷陰極管に流れる負の交流電流を等しくするための第２のカレントミラー回路と、を有し、
上記第１のカレントミラー回路および上記第２のカレントミラー回路を構成するトランジスタのベース端子またはゲート端子と、グランド間に抵抗が接続され、
上記第１のカレントミラー回路および上記第２のカレントミラー回路の双方にそれぞれ別のトランジスタが接続されていることを特徴とする冷陰極管駆動装置。
【請求項２】
前記第１のカレントミラー回路および前記第２のカレントミラー回路は、前記別のトランジスタを使用したベース電流補償型カレントミラー回路であることを特徴とする請求項１記載の冷陰極管駆動装置。
【請求項３】
前記第１のカレントミラー回路および前記第２のカレントミラー回路は、前記別のトランジスタを使用したウィルソン型カレントミラー回路であることを特徴とする請求項１記載の冷陰極管駆動装置。
【請求項４】
前記第１のカレントミラー回路および前記第２のカレントミラー回路は、前記別のトランジスタを使用した高精度ウィルソン型カレントミラー回路であることを特徴とする請求項１記載の冷陰極管駆動装置。
【請求項５】
前記第１のカレントミラー回路および前記第２のカレントミラー回路は、モノリシックＩＣによって構成されていることを特徴とする請求項１から請求項４のいずれかに記載の冷陰極管駆動装置。
【発明の詳細な説明】
【技術分野】
【０００１】
本発明は、冷陰極管駆動装置に関する。
【背景技術】
【０００２】
例えば、液晶ディスプレイ等においては、液晶パネルの背面にバックライトとして冷陰極管を複数個配置し、これらの冷陰極管を点灯することにより、液晶パネルを照らす光源としている。
【０００３】
バックライトとして冷陰極管を使用する場合、個々の冷陰極管の輝度が一定である必要がある。輝度が一定でない場合には、液晶ディスプレイに輝度むらが生じ、ディスプレイの場所によって明るさが一定にならないからである。なお、輝度むらが生じる主な原因は、冷陰極管とパネル間に生じる寄生容量のばらつきと考えられている。
【０００４】
従来、バックライトの輝度むらを防ぐ技術としては、例えば、特許文献１に示すような技術がある。
【０００５】
【特許文献１】特開２００６−４１４６８号公報（要約書、特許請求の範囲）
【発明の開示】
【発明が解決しようとする課題】
【０００６】
ところで、特許文献１に示す技術では、複数の冷陰極管に流れる電流のバランスを取るためにトランスを使用している。しかしながら、トランスは、コアおよびコイルから構成されており、一定のサイズを有することから、小型化、さらに低コスト化が困難であるという問題点がある。
【０００７】
また、冷陰極管に流れる電流のバランスを取るためには、各巻線の素子値（例えば、巻数）が同一となるようにする必要があるが、素子値はトランス毎にばらつきがあるため、バランスを取ることが困難であるという問題点もある。
【０００８】
本発明は、上記の事情に基づきなされたもので、その目的とするところは、複数の冷陰極管の輝度を均一化することが可能な冷陰極管駆動装置を提供することを目的とする。
【課題を解決するための手段】
【０００９】
上述の目的を達成するため、本発明の冷陰極管駆動装置は、複数の冷陰極管を駆動する冷陰極管駆動装置において、複数の冷陰極管に対して交流電力を供給する電力供給回路と、各冷陰極管からグランドに流れる正の交流電流を等しくするための第１のカレントミラー回路と、グランドから各冷陰極管に流れる負の交流電流を等しくするための第２のカレントミラー回路と、第１のカレントミラー回路および第２のカレントミラー回路を構成するトランジスタのベース端子またはゲート端子と、グランド間に抵抗が接続され、第１のカレントミラー回路および第２のカレントミラー回路の双方にそれぞれ別のトランジスタが接続されているものである。
【００１０】
このため、本発明によれば、小型、低コストで複数の冷陰極管の輝度を均一化することが可能な冷陰極管駆動装置を提供することができる。また、カレントミラー回路を構成するトランジスタまたは整流用のダイオードに蓄積される電荷を放電させることにより、回路の動作を安定化させることができる。
【００１１】
また、他の発明の冷陰極管駆動装置は、前述の発明に加えて、前述の第１のカレントミラー回路および第２のカレントミラー回路は、別のトランジスタを使用したベース電流補償型カレントミラー回路である。これにより、第１のカレントミラー回路を構成するトランジスタに流れるベース電流を減少させることにより、出力電流のバランスを高めることができる。また、別のトランジスタのエミッタには第１のカレントミラー回路を構成するトランジスタによる負帰還がかかり、インピーダンスが低くなることから、抵抗によるミラー効果の影響を低減することができる。これにより、スイッチング動作を確実に実行することができる。また、他の発明の冷陰極管駆動装置は、前述の発明に加えて、前述の第１のカレントミラー回路および第２のカレントミラー回路は、別のトランジスタを使用したウィルソン型カレントミラー回路である。これにより、別のトランジスタのエミッタ電圧が第２のカレントミラー回路のトランジスタのベース電圧と等しくなるように負帰還がかかる。このとき、第１のカレントミラー回路のトランジスタは、ダイオード接続であり、第１のカレントミラー回路および第２のカレントミラー回路のトランジスタのベース電圧は等しいので、これらの特性が等しい場合には、出力電圧は等しくなる。従って、このような構成によれば、通常のカレントミラー回路と比較して、冷陰極管に流れる電流をより一層等しくすることができる。また、他の発明の冷陰極管駆動装置は、前述の発明に加えて、前述の第１のカレントミラー回路および第２のカレントミラー回路は、別のトランジスタを使用した高精度ウィルソン型カレントミラー回路である。これにより、第１のカレントミラー回路を構成するトランジスタと第２のカレントミラー回路を構成するトランジスタの動作条件が等しくなるため、温度ドリフトが減少し、出力電流のバランスを等しくすることができる。
【００１２】
また、他の発明の冷陰極管駆動装置は、前述の発明に加えて、第１のカレントミラー回路および第２のカレントミラー回路は、モノリシックＩＣによって構成されている。このため、第１および第２のカレントミラー回路を構成するトランジスタの特性を揃えるとともに、温度特性を均一化することにより、各冷陰極管に流れる電流を精度よく一致させることができる。また、部品点数削減により低コスト化も図れる。
【発明の効果】
【００１３】
本発明は、小型、低コストで複数の冷陰極管の輝度を均一化することが可能な冷陰極管駆動装置を提供することができる。
【発明を実施するための最良の形態】
【００１４】
以下、本発明の一実施の形態について図に基づいて説明する。
【００１５】
図１は、本発明の実施の形態に係る冷陰極管駆動装置を有する液晶ディスプレイ装置の構成例を示す図である。この図に示すように、液晶ディスプレイ装置は、液晶パネル１、液晶駆動回路２、冷陰極管駆動回路１０、および、複数の冷陰極管１５を主要な構成要素としている。
【００１６】
ここで、液晶パネル１は、液晶駆動回路２の制御に応じて、液晶の一部の分子の配列状態を変更することにより、冷陰極管１５から放射される光を透過または遮断することで、文字および画像を表示する。
【００１７】
液晶駆動回路２は、例えば、液晶パネル１の背面に設けられているＴＦＴ（Thin Film Transistor）を駆動することにより、所望の文字または画像を表示させる駆動回路である。
【００１８】
冷陰極管駆動回路１０は、液晶パネル１の背面に設けられているバックライトとしての複数の冷陰極管１５を駆動し、点灯させる回路である。なお、冷陰極管駆動回路１０の詳細な構成については後述する。
【００１９】
冷陰極管１５は、管内壁に蛍光体が塗布され、管両端に電極が取り付けられ、バッファーガスとしてのアルゴンと適量の水銀が封入されている。管両端の電極間に高電圧を印加すると、管内に残存する電子が陽極に引かれて高速に移動する間にアルゴン分子と衝突し、衝突電離増殖した陽イオンが陰極に衝突し、陰極から２次電子を叩き出して放電が開始する。放電により流れる電子は水銀原子と衝突し、励起した水銀が紫外線を放射する。この紫外線が蛍光体を励起し、蛍光体固有の可視光線を発光する。なお、図１の例では、複数の冷陰極管１５が垂直方向に並べて配置されているが、これは一例であり、水平方向に並べて配置することも可能である。なお、以下では、個々の冷陰極管１５を示す場合は、冷陰極管１５−１〜１５−ｎと称する。それぞれの冷陰極管１５−１〜１５−ｎはほぼ同一の電流−輝度特性を有している。
【００２０】
図２は、図１に示す冷陰極管駆動回路１０の詳細な構成例を示す図である。この図に示すように、冷陰極管駆動回路１０は、コントローラ１１、スイッチング回路１２、トランス１３、コンデンサ１４−１〜１４−ｎ、ダイオード１６−１〜１６−ｎ、ダイオード１７−１〜１７−ｎ、トランジスタ１８−１〜１８−ｎ、トランジスタ１９−１〜１９−ｎ、抵抗２０−１〜２０−ｎ、および、抵抗２１−１〜２１−ｎを主要な構成要素としている。
【００２１】
ここで、電力供給回路の一部としてのコントローラ１１は、スイッチング回路１２のスイッチング動作を、例えば、ＰＷＭ（Pulse Width Modulation）制御に基づいて制御し、所定の交流電流が冷陰極管１５−１〜１５−ｎに流れるように制御する。制御に際しては、コントローラ１１は、抵抗２０−１に生じる電圧を検出し、当該電圧に基づいてスイッチング回路１２を制御する。
【００２２】
電力供給回路の一部としてのスイッチング回路１２は、例えば、バイポーラトランジスタまたはＦＥＴ（Field Effect Transistor）等によって構成され、コントローラ１１の制御に応じて図示せぬ直流電源電力をスイッチングし、例えば、周波数が５０ｋＨｚ程度の交流電力を発生する。
【００２３】
電力供給回路の一部としてのトランス１３は、昇圧トランスであり、スイッチング回路１２の出力電圧（交流電圧）を巻線の巻数比に応じて昇圧し、出力する。昇圧トランスの一次巻線はスイッチング回路１２に接続され、二次巻線の一方は接地され、他方はコンデンサ１４−１〜１４−ｎの一方の端子に接続される。
【００２４】
コンデンサ１４−１〜１４−ｎは、一方の端子がトランス１３の二次巻線の高圧側に接続され、他方が冷陰極管１５−１〜１５−ｎの一方の端子に接続されている。なお、コンデンサ１４−１〜１４−ｎは、冷陰極管１５−１が点灯時には負性抵抗特性となり、系が不安定となるため、負性抵抗特性を打ち消し、系を安定させるために挿入している。
【００２５】
ダイオード１６−１〜１６−ｎは、アノードが冷陰極管１５−１〜１５−ｎの一方の端子に接続され、カソードがトランジスタ１８−１〜１８−ｎのコレクタにそれぞれ接続されている。また、ダイオード１７−１〜１７−ｎは、カソードが冷陰極管１５−１〜１５−ｎの一方の端子に接続され、アノードがトランジスタ１９−１〜１９−ｎのコレクタにそれぞれ接続されている。なお、これらのダイオード１６−１〜１６−ｎおよびダイオード１７−１〜１７−ｎは、冷陰極管１５−１〜１５−ｎに正の電圧が印加された場合には、ダイオード１６−１〜１６−ｎが順バイアスとなってオンの状態となり、ダイオード１７−１〜１７−ｎが逆バイアスとなってオフの状態となる。また、冷陰極管１５−１〜１５−ｎに負の電圧が印加された場合には、ダイオード１７−１〜１７−ｎが順バイアスとなってオンの状態となり、ダイオード１６−１〜１６−ｎが逆バイアスとなってオフの状態となる。この結果、冷陰極管１５−１〜１５−ｎに正の電圧が印加されている場合には、トランジスタ１８−１〜１８−ｎによって構成される正側カレントミラー回路に電流が通じ、また、負の電圧が印加されている場合には、トランジスタ１９−１〜１９−ｎによって構成される負側カレントミラー回路に電流が通じる。
【００２６】
第１のカレントミラー回路の一部としてのトランジスタ１８−１〜１８−ｎは、多出力のカレントミラー回路（正側カレントミラー回路）を構成している。従って、トランジスタ１８−１〜１８−ｎのコレクタにそれぞれ流れる電流はほぼ等しくなる。第２のカレントミラー回路の一部としてのトランジスタ１９−１〜１９−ｎは、同じく、多出力のカレントミラー回路（負側カレントミラー回路）を構成している。従って、トランジスタ１９−１〜１９−ｎのコレクタにそれぞれ流れる電流はほぼ等しくなる。
【００２７】
第１のカレントミラー回路の一部としての抵抗２０−１〜２０−ｎは、同一の抵抗値を有するエミッタ抵抗であり、温度特性等によって正側カレントミラー回路に流れる電流が変動しないようにする機能を有する。第２のカレントミラー回路の一部としての抵抗２１−１〜２１−ｎは、同様に、同一の抵抗値を有するエミッタ抵抗であり、温度特性等によって負側カレントミラー回路に流れる電流が変動しないようにする機能を有する。抵抗２０−１〜２０−ｎおよび抵抗２１−１〜２１−ｎの素子値としては、例えば、１００Ω程度とする。なお、抵抗２０−１には、コントローラ１１の電圧検出端子が接続されており、当該電圧を検出することにより冷陰極管１５−１に流れる正側の電流が検出される。
【００２８】
つぎに、以上の実施の形態の動作について説明する。
【００２９】
図１に示す液晶ディスプレイ装置の電源が投入されると、液晶駆動回路２は、入力された映像信号に基づいて液晶パネル１のＴＦＴに駆動電圧を印加して液晶パネル１に画像を表示させる。
【００３０】
このとき、冷陰極管駆動回路１０のコントローラ１１は、スイッチング回路１２を駆動する動作を開始する。すなわち、コントローラ１１は、抵抗２０−１に生じた電圧に応じてスイッチング回路１２をスイッチングさせ、所定の電圧を有する正弦波を発生させる。例えば、抵抗２０−１に生じる電圧が低い場合には、スイッチング回路１２のオン時間を長くする（デューティー比を上げる）ことにより、出力電圧を上昇させる。また、電圧が高い場合にはオン時間を短くする（デューティー比を下げる）ことにより、出力電圧を低下させる。
【００３１】
スイッチング回路１２から出力された正弦波は、トランス１３に入力される。トランス１３は、スイッチング回路１２から出力された正弦波を、巻数比に応じて昇圧して出力する。
【００３２】
トランス１３から出力された正弦波は、コンデンサ１４−１〜１４−ｎを介して、冷陰極管１５−１〜１５−ｎに印加される。冷陰極管１５−１〜１５−ｎは、印加された電圧が放電電圧を上回った場合には、放電を開始する。放電が始まると、冷陰極管１５−１〜１５−ｎからは、可視光（白色光）が放射される。放射された可視光は、液晶パネル１の液晶の状態に応じて透過または遮断される。その結果、液晶駆動回路２の駆動に応じた所定の文字または可視映像として表示される。
【００３３】
ところで、冷陰極管１５−１〜１５−ｎに正の電圧（グランドを基準として正の電圧）が印加されている場合、前述したように、ダイオード１６−１〜１６−ｎは順バイアス状態となってオンの状態になり、ダイオード１７−１〜１７−ｎは逆バイアス状態となってオフの状態になる。その結果、トランジスタ１８−１〜１８−ｎのコレクタに電流が通じる。トランジスタ１８−１〜１８−ｎは、多出力のカレントミラー回路を構成している。すなわち、トランジスタ１８−１〜１８−ｎのベースはそれぞれ相互に接続されているので、ベース電圧は等しい。ここで、抵抗２０−１〜２０−ｎは同一の値を有しており、また、トランジスタ１８−１〜１８−ｎのそれぞれのベースとエミッタ間の電圧はほぼ等しいので、抵抗２０−１〜２０−ｎに印加される電圧はほぼ等しくなる。このため、トランジスタ１８−１〜１８−ｎのコレクタにそれぞれ流れる電流はほぼ等しくなる。
【００３４】
一方、冷陰極管１５−１〜１５−ｎに負の電圧（グランドを基準として負の電圧）が印加されている場合、前述したように、ダイオード１６−１〜１６−ｎは逆バイアス状態となってオフの状態になり、ダイオード１７−１〜１７−ｎは順バイアス状態となってオンの状態になる。その結果、トランジスタ１９−１〜１９−ｎのコレクタに電流が通じる。トランジスタ１９−１〜１９−ｎは、多出力のカレントミラー回路を構成している。すなわち、トランジスタ１９−１〜１９−ｎのベースはそれぞれ相互に接続されているので、ベース電圧は等しい。ここで、抵抗２１−１〜２１−ｎは同一の値を有しており、また、トランジスタ１９−１〜１９−ｎのそれぞれのベースとエミッタ間の電圧はほぼ等しいので、抵抗２１−１〜２１−ｎに印加される電圧はほぼ等しくなる。このため、トランジスタ１９−１〜１９−ｎのコレクタにそれぞれ流れる電流はほぼ等しくなる。
【００３５】
すなわち、冷陰極管１５−１〜１５−ｎに正の電圧が印加されている場合には、トランジスタ１８−１〜１８−ｎによって構成される正側のカレントミラー回路によってそれぞれの冷陰極管１５−１〜１５−ｎに流れる電流が等しくなるように制御され、また、冷陰極管１５−１〜１５−ｎに負の電圧が印加されている場合には、トランジスタ１９−１〜１９−ｎによって構成される負側のカレントミラー回路によってそれぞれの冷陰極管１５−１〜１５−ｎに流れる電流が等しくなるように制御される。この結果、正側および負側の双方において、冷陰極管１５−１〜１５−ｎに流れる電流がほぼ等しくなる。冷陰極管１５−１〜１５−ｎは、ほぼ同じ電流−輝度特性を有しているので、冷陰極管１５−１〜１５−ｎの輝度はほぼ等しくなる。液晶パネル１には均一な光が投光されるので、鑑賞者は、むらのない画像を鑑賞することができる。
【００３６】
以上に説明したように、本発明の実施の形態によれば、正側および負側のカレントミラー回路を用いて冷陰極管１５−１〜１５−ｎに流れる電流のバランスを取るようにしたので、液晶パネル１における輝度むらの発生を軽減することができる。
【００３７】
また、以上の実施の形態では、トランジスタによるカレントミラー回路を用いるようにしたので、従来のようにトランスを用いる場合に比較して、装置のサイズを小型化することができ、さらに低コスト化が図れる。また、カレントミラー回路では、エミッタ抵抗によって電流値を決定することができるので、トランスを利用する場合に比較して、電流のバランス精度を向上させることができる。その結果、輝度むらの発生をより一層抑制することができる。
【００３８】
また、以上の実施の形態では、正側および負側のカレントミラー回路を冷陰極管１５−１〜１５−ｎの低圧側に挿入するようにしたので、トランジスタ１８−１〜１８−ｎおよびトランジスタ１９−１〜１９−ｎとして、耐圧が低いトランジスタを使用することができるので、コストを低減することができる。また、耐圧が低いトランジスタは、高いトランジスタに比較すると、高周波特性が良いので、高い周波数まで電流バランスを保つことが可能になる。
【００３９】
また、以上の実施の形態では、トランジスタによるカレントミラー回路によって電流をバランスさせるようにしたが、トランジスタ１８−１〜１８−ｎおよびトランジスタ１９−１〜１９−ｎをモノリシックＩＣ（Integrated Circuit）化することにより、装置を更に小型化することができる。また、ＩＣ化することにより、トランジスタ１８−１〜１８−ｎおよびトランジスタ１９−１〜１９−ｎの相対的な特性を揃えることができるので、素子のばらつきを抑制することで、電流のバランスをより高めることができる。また、モノリシックＩＣ化することにより、トランジスタ１８−１〜１８−ｎおよびトランジスタ１９−１〜１９−ｎを熱的に結合することができるので、温度の変化によって電流のバランスが崩れることを防止できる。
【００４０】
図３は、図２に示す冷陰極管駆動回路１０の他の構成例を示す図である。なお、この図において、図２と対応する部分には同一の符号を付して、その説明を省略する。図３の例では、図２と比較して、抵抗２２，２３が新たに追加されている。それ以外の構成は図２の場合と同様である。
【００４１】
抵抗２２は、正側のカレントミラー回路を構成するトランジスタ１８−１〜１８−ｎのベースに一方の端子が接続され、グランドに他方の端子が接続されている。また、抵抗２３は、負側のカレントミラー回路を構成するトランジスタ１９−１〜１９−ｎのベースに一方の端子が接続され、グランドに他方の端子が接続されている。
【００４２】
抵抗２２は、負の電圧が冷陰極管１５−１〜１５−ｎに印加されている状態から、正の電圧に反転する際に、ダイオード１６−１の接合容量に蓄積されている電荷を放電させ、順方向への切り替わりを高速化する。
【００４３】
また、抵抗２２は、トランジスタ１８−２〜１８−ｎがオンの状態からオフの状態に切り替わる際に、ベース−コレクタ間に蓄積されている電荷を放電させ、順方向への切り替わりを高速化する。
【００４４】
抵抗２３は、正の電圧が冷陰極管１５−１〜１５−ｎに印加されている状態から、正の電圧に反転する際に、ダイオード１７−１の接合容量に蓄積されている電荷を放電させ、順方向への切り替わりを高速化する。
【００４５】
また、抵抗２３は、トランジスタ１９−２〜１９−ｎがオンの状態からオフの状態に切り替わる際に、ベース−コレクタ間に蓄積されている電荷を放電させ、順方向への切り替わりを高速化する。
【００４６】
すなわち、本実施の形態では、トランス１３からは５０ｋＨｚ程度の周波数の正弦波が出力される。このため、正側のカレントミラー回路および負側のカレントミラー回路は、１秒間に５万回程度の頻度でオン・オフを繰り返している。ダイオード１６−１，１７−１についても同様の周期でオン・オフを繰り返している。ここで、ダイオード１６−１，１７−１が逆バイアスから順バイアスに切り替わる際には、拡散容量に電荷が蓄積されており、当該電荷を放電する必要がある。抵抗２２，２３は、当該電荷をベースを介して放電する役割を有している。これにより、スイッチング動作を確実に行うことができる。
【００４７】
また、カレントミラー回路を構成するトランジスタにエミッタ抵抗を付加すると、安定性は増すものの、ミラー効果によって浮遊容量（例えば、ベース・コレクタ間の容量）が増加する。このため、図３に示す実施の形態では、ベースに抵抗２２，２３を付加することにより、当該容量に蓄積された電荷を放電させ、トランジスタのスイッチング動作が迅速に行われるようにしている。即ち、図３に示す実施の形態では、抵抗２２，２３の付加により、トランジスタ１８−１〜１８−ｎおよびトランジスタ１９−１〜１９−ｎの入力側に等価的に生じる容量（例えば、ベース・コレクタ間の容量）に蓄積される電荷を放電させることにより、スイッチング動作を確実に行うことができる。
【００４８】
なお、上述の実施の形態は、本発明の好適な例であるが、本発明は、これらに限定されるものではなく、本発明の要旨を逸脱しない範囲において、種々の変形、変更が可能である。
【００４９】
例えば、以上の実施の形態では、トランジスタ１８−１〜１８−ｎおよびトランジスタ１９−１〜１９−ｎとしては、バイポーラ型のトランジスタを使用するようにしたが、例えば、ＦＥＴ（Field Effect Transistor）またはＭＯＳ（Metal-Oxide Semiconductor）−ＦＥＴを使用するようにしてもよい。これらのトランジスタは、入力抵抗（ゲート抵抗）が大きいので、カレントミラー回路の出力電流のバランスを高めることが可能になる。
【００５０】
また、カレントミラー回路として、例えば、図４（Ａ）に示すように、トランジスタ３０を追加したベース電流補償型カレントミラー回路を使用するようにしてもよい。具体的には、図２または図３に示すトランジスタ１８−１のベース・コレクタ間の結線を除外して、トランジスタ３０のベースをトランジスタ１８−１のコレクタに接続し、トランジスタ３０のエミッタをトランジスタ１８−１〜１８−ｎのベースに接続し、トランジスタ３０のコレクタをダイオード１６−２のカソードに接続する。また、負側のカレントミラー回路に対しても同様にして図示せぬトランジスタを接続する。このような構成によれば、トランジスタ１８−１に流れるベース電流を減少させることにより、出力電流のバランスを高めることができる。また、トランジスタ３０のエミッタにはトランジスタ１８−１による負帰還がかかり、インピーダンスが低くなることから、抵抗２０−２〜２０−ｎによるミラー効果の影響を低減することができる。これにより、スイッチング動作を確実に実行することができる。
【００５１】
また、図４（Ｂ）に示すように、トランジスタ３１を追加したウィルソン型のカレントミラー回路を使用するようにしてもよい。このような構成によれば、トランジスタ３１のエミッタ電圧がトランジスタ１８−２のベース電圧と等しくなるように負帰還がかかる。このとき、トランジスタ１８−１は、ダイオード接続であり、トランジスタ１８−１，１８−２のベース電圧は等しいので、トランジスタ１８−１，１８−２の特性が等しい場合には、出力電圧は等しくなる。従って、このような構成によれば、図２，３に示す回路と比較して、冷陰極管１５−１〜１５−ｎに流れる電流を一層等しくすることができる。
【００５２】
さらに、図４（Ｃ）に示すように、トランジスタ３２，３３を追加して、高精度ウィルソン型カレントミラー回路を構成するようにしてもよい。このような構成によれば、トランジスタ１８−１，１８−２の動作条件が等しくなるため、温度ドリフトが減少し、出力電流のバランスを等しくすることができる。
【００５３】
また、以上の実施の形態では、トランジスタ１８−１〜１８−ｎおよびトランジスタ１９−１〜１９−ｎは、ディスクリート構成としたが、例えば、前述したようにこれらをモノリシックＩＣとして構成することも可能である。その場合には、トランジスタ１８−１〜１８−ｎおよびトランジスタ１９−１〜１９−ｎの相対的な特性を揃えることができるので、出力電流のバランスを揃えることができる。また、モノリシックＩＣ化によって近接した領域に配置されることから熱的な特性も揃えることができるので、熱による特性のばらつきを抑えることができる。なお、トランジスタ１８−１〜１８−ｎおよびトランジスタ１９−１〜１９−ｎの全てをモノリシックＩＣ化する必要はなく、少なくともトランジスタ１８−１〜１８−ｎおよびトランジスタ１９−１〜１９−ｎのそれぞれについてモノリシックＩＣ化すればよい。
【００５４】
また、図３に示す実施の形態では、抵抗２２，２３を付加し、これによって電荷を放電するようにしたが、例えば、これらの抵抗の代わりに、半導体スイッチ（例えば、ＭＯＳ−ＦＥＴ）を設け、これをスイッチング動作させることにより、電荷を放電させるようにしてもよい。そのような構成によっても、回路の誤動作を防止できる。
【００５５】
また、以上の実施の形態では、正側および負側の双方のカレントミラー回路を設けるようにしたが、例えば、正側または負側の一方のみのカレントミラー回路を設けるようにしてもよい。そのような実施の形態によれば、冷陰極管１５−１〜１５−ｎに対して流れる双方向の電流のバランスを取ることはできないが、一方向についてはバランスを取ることができるので、全く設けない場合に比較すると、電流のバランス特性を改善することができる。
【００５６】
また、以上の実施の形態では、抵抗２０−１に生じる電圧降下を検出して、コントローラ１１が出力電流の制御を行うようにしたが、例えば、トランス１３の二次巻線とグランドとの間に抵抗を付加し、当該抵抗に生じる電圧降下を検出して制御を行うようにしてもよい。
【産業上の利用可能性】
【００５７】
本発明は、例えば、液晶ディスプレイに利用することができる。
【図面の簡単な説明】
【００５８】
【図１】本発明の実施の形態に係る液晶ディスプレイの構成例を示すブロック図である。
【図２】図１に示す冷陰極管駆動回路の構成例を示すブロック図である。
【図３】図１に示す冷陰極管駆動回路の他の構成例を示すブロック図である。
【図４】カレントミラー回路の他の構成例を示す図であり、（Ａ）はベース電流補償型カレントミラー回路を示し、（Ｂ）はウィルソン型カレントミラー回路を示し、（Ｃ）は高精度ウィルソン型カレントミラー回路を示す。
【符号の説明】
【００５９】
１０  冷陰極管駆動回路，１１  コントローラ（電力供給回路の一部），１２  スイッチング回路（電力供給回路の一部），１３  トランス（電力供給回路の一部），１８−１〜１８−ｎ  トランジスタ（第１のカレントミラー回路の一部），１９−１〜１９−ｎ  トランジスタ（第２のカレントミラー回路の一部），２０−１〜２０−ｎ  抵抗（第１のカレントミラー回路の一部），２１−１〜２１−ｎ  抵抗（第２のカレントミラー回路の一部）
【図１】
0004624282.tif 000002
【図２】
0004624282.tif 000003
【図３】
0004624282.tif 000004
【図４】
0004624282.tif 000005